(57)【要約】【課題】感光体ドラムと、該感光体ドラムの周面の静電潜像を現像する現像ローラーを有する現像ユニットと、上記感光体ユニット及び上記現像ユニットを収容する本体筐体と、回動することにより該本体筐体の開放部を開閉する開閉カバーとを備えた画像形成装置において、交換頻度の高い現像ユニットを感光体ドラムと干渉することなく容易に交換できるようにする。【解決手段】感光体ユニット４０は本体筐体２１に対して着脱可能に取付けられ、現像ユニット４３は、開閉カバー２１に対して着脱可能に取付けられている。【選択図】図１
2020197607.tif 000002
【特許請求の範囲】
【請求項１】
感光体ドラムを有する感光体ユニットと、該感光体ドラムの周面の静電潜像を現像する現像ローラーを有する現像ユニットと、上記感光体ユニット及び上記現像ユニットを収容する本体筐体と、該本体筐体に取付けられた回動式の開閉カバーとを備えた画像形成装置であって、
上記感光体ユニットは上記本体筐体に対して着脱可能に装着され、
上記現像ユニットは、上記開閉カバーに対して着脱可能に装着される、画像形成装置。
【請求項２】
請求項１記載の画像形成装置において、
上記現像ユニットは、上記現像ローラーを内部に収容するハウジングと、該現像ユニットの該ハウジングにおける上記現像ローラーの軸方向の両側端面から突出する軸部とを有しており、
上記開閉カバーは、上記現像ユニットの上記両側端面から突出する上記軸部に係合して上記現像ユニットの装着経路を規制する係合溝を有し、
上記本体筐体内には、上記開閉カバーを閉じる際に上記現像ユニットに当接して上記軸部を上記係合溝に沿って所定位置まで移動させる位置規制部材が設けられている、画像形成装置。
【請求項３】
請求項２記載の画像形成装置において、
上記係合溝は、上記開閉カバーを全閉状態から開放する時に、上記現像ユニットを上記感光体ドラムから離間する向きに移動させるように形成されている、画像形成装置。
【請求項４】
請求項２又は３記載の画像形成装置において、
上記軸部は、上記現像ローラーの支持シャフトと兼用されている、画像形成装置。
【請求項５】
請求項４に記載の画像形成装置において、
上記現像ローラーの上記支持シャフトには位置決め部材が同軸に取付けられており、
上記開閉カバーが全閉状態にあるときに上記現像ユニットを上記感光体ドラム側に付勢する付勢機構をさらに備えている、画像形成装置。
【発明の詳細な説明】
【技術分野】
【０００１】
本発明は、画像形成装置に関する。
【背景技術】
【０００２】
従来より、 電子写真方式の画像形成装置として、本体ケーシングの上側にメンテナンス用の開閉カバーを備えたものが知られている（例えば、特許文献１参照）。本体ケーシング内には、感光体ユニット及び現像ユニットが着脱可能に収容されている。作業者は、開閉カバーを開放することで本体ケーシング内にアクセスして感光体ユニット及び現像ユニットの交換作業を行えるようになっている。
【先行技術文献】
【特許文献】
【０００３】
【特許文献１】特開２００７−１５５９０４号公報
【発明の概要】
【発明が解決しようとする課題】
【０００４】
ところで、トナーを収容する現像ユニットは、感光体ユニットに比べて交換頻度が高いため容易に交換できることが望ましい。
【０００５】
しかしながら、特許文献１に示す画像形成装置では、開閉カバーを開いた後に、本体ケーシング内の狭いスペースに手を入れて現像ユニットの取外し作業を行う必要がある。このため、現像ユニットの周囲に十分な作業スペース（作業者の手を入れるスペース）を確保することができず、作業性が悪いという問題がある。また、現像ユニットを交換する際に、感光体ドラム（感光体ユニットの一部）の表面に現像ユニットが干渉して傷が生じる虞がある。
【０００６】
本発明は、かかる点に鑑みてなされたものであり、その目的とするところは、交換頻度の高い現像ユニットを感光体ドラムと干渉することなく容易に交換できるようにすることにある。
【課題を解決するための手段】
【０００７】
本発明の一局面に係る画像形成装置は、感光体ドラムを有する感光体ユニットと、該感光体ドラムの周面の静電潜像を現像する現像ローラーを有する現像ユニットと、上記感光体ユニット及び上記現像ユニットを収容する本体筐体と、該本体筐体に取付けられた回動式の開閉カバーとを備えている。  
そして、上記感光体ユニットは上記本体筐体に対して着脱可能に装着され、上記現像ユニットは、上記開閉カバーに対して着脱可能に装着される。
【発明の効果】
【０００８】
本発明によれば、交換頻度の高い現像ユニットを感光体ドラムと干渉することなく容易に交換することができる。
【図面の簡単な説明】
【０００９】
【図１】図１は、実施形態における画像形成装置を示す概略構成図である。
【図２】図２は、画像形成装置の上側開閉カバーを全開した状態を示す概略構成図である。
【図３】図３は、上側開閉カバーを拡大して示す拡大図である。
【図４】図４は、図１のIV-IV線断面図である。
【図５】図５は、上側開閉カバーに現像ユニットを装着する直前の状態を示す概略図である。
【図６】図６は、上側開閉カバーを閉じる際に位置規制部材によって現像ユニットの位置が規制される様子を説明するための説明図である。
【図７】図７は、上側開閉カバーが全閉状態に移行した状態を示す図６相当図である。
【図８】図８は、変形例を示す図７相当図である。
【図９】図９は、付勢機構を拡大して示す拡大図である。
【発明を実施するための形態】
【００１０】
以下、本発明の実施形態を図面に基づいて詳細に説明する。尚、本発明は、以下の実施形態に限定されるものではない。
【００１１】
《実施形態》
図１は、本実施形態における画像形成装置１を示している。この画像形成装置１は例えばモノクロレーザープリンターにより構成されている。
【００１２】
画像形成装置１は、図１に示すように、箱状の筐体２と、手差し給紙部３と、画像形成部４と、定着部５と、シート排出部６とを備えている。画像形成装置１は、筐体２内の搬送路Ｌに沿ってシート（例えば用紙又はＯＨＰシート等）を搬送しながら、不図示の端末等から送信される画像データに基づいてシートに画像を形成するように構成されている。尚、以下の説明において、前側、後側、左側、及び右側は、画像形成装置１を基準として定義される方向であって各図の方向軸にしたがうものとする。
【００１３】
手差し給紙部３は、手差しトレイ３１と給紙ローラー３２とレジストローラー対３３とを有している。手差しトレイ３１は、筐体２の上側に開閉可能に設けられている。給紙ローラー３２は、筐体２の内部に回転可能に設けられていて、手差しトレイ３１にセットされたシートを一枚ずつ分離して下流側に送り出す。レジストローラー対３３は、給紙ローラー３２より供給されるシートを一時的に待機させた後、所定のタイミングでシートを画像形成部４に供給する。
【００１４】
画像形成部４は、筐体２内に回転可能に設けられた感光体ドラム４１を有している。画像形成部４における感光体ドラム４１の周囲には、六時の位置を基準として帯電器４２と現像ユニット４３と転写ローラー４４とが反時計回り方向にこの順に配置されている。感光体ドラム４１と帯電器４２と転写ローラー４４とはユニット化されて感光体ユニット４０を構成している。感光体ユニット４０は本体筐体２１に対して着脱可能に装着されている。感光体ユニット４０の下方には、感光体ドラム４１に向けて画像データに基づくレーザー光を照射する光走査装置４５が配置されている。
【００１５】
定着部５は、画像形成部４の左側に配置されている。定着部５は、互いに圧接されて回転する定着ローラー５１及び加圧ローラー５２を備えている。定着部５は、画像形成部４でシートに転写されたトナー像を当該シートに定着させる。
【００１６】
シート排出部６は定着部５の左斜め下側に設けられている。シート排出部６は、排紙ローラー対６１を有していて、筐体２の左側面に形成されたシート排出口２ａからシートを排出する。
【００１７】
次に画像形成装置１による印刷動作について説明する。画像形成装置１が画像データを受信すると、画像形成部４において感光体ドラム４１が回転駆動されると共に、帯電器４２が感光体ドラム４１の表面を帯電させる。
【００１８】
そして、画像データに基づいて、レーザー光が光走査装置４５から感光体ドラム４１へ出射される。感光体ドラム４１の表面には、レーザー光が照射されることによって静電潜像が形成される。感光体ドラム４１上に形成された静電潜像は、現像ユニット４３で現像されることによりトナー像として可視化される。
【００１９】
このトナー像は、シートが転写ローラー４４と感光体ドラム４１との間を通過するときに、転写ローラー４４に印加されたトナーと逆極性の転写バイアスによってシートに転写される。トナー像が転写されたシートは、定着部５において定着ローラー５１と加圧ローラー５２とにより加熱及び加圧される。その結果、トナー像がシートに定着する。
【００２０】
［筐体２の構成］
上記筐体２は、上側が開放する本体筐体２１と、本体筐体２１の上側を開閉可能に覆う回動式の上側開閉カバー２２とを有している。上側開閉カバー２２は、本体筐体２１の右側の上隅に設けられた軸部２１ａに回動可能に支持されている。
【００２１】
図２に示すように、上側開閉カバー２２は、全閉状態（図１の状態）から軸部２１ａを支点に上側に回動させることで開放される。上側開閉カバー２２は、最大開放角度まで開放されると（図２に示す全開状態になると）不図示のストッパー部材によって係止される。
【００２２】
上側開閉カバー２２は、下側が開放する台形ケース状に形成されている。具体的には、上側開閉カバー２２は、図３に示すように、前後方向にて対向する一対の側壁２２ａと、該一対の側壁２２ａの上端縁同士を連結する上壁２２ｂと、上壁２２ｂの右側端縁から垂下する右側壁２２ｃと、一対の側壁２２ａの下端部にそれぞれ接続された一対の現像支持壁２２ｄとを有している。
【００２３】
一対の側壁２２ａには、給紙ローラー３２及びレジストローラー対３３の両端部が回動可能に支持されている。また、一対の現像支持壁２２ｄには現像ユニット４３が着脱可能に支持されている。そして、上側開閉カバー２２を開放すると、現像ユニット４３が上側開閉カバー２２と共に移動して本体筐体２１の上側に露出するようになっている（図２の二点鎖線参照）。
【００２４】
［現像ユニット４３の概略構成］
現像ユニット４３は、現像ローラー４３ａと、トナー供給ローラー４３ｂと、撹拌搬送ローラー４３ｃと、これらを収容する現像ハウジング４３ｄとを有している。撹拌搬送ローラー４３ｃは、トナーを撹拌しながら帯電させる。トナー供給ローラー４３ｂは表面に磁気ブラシを形成する。現像ローラー４３ａはトナー供給ローラー４３ｂとの接触により表面にトナー薄層を形成する。現像ローラー４３ａは、現像ハウジング４３ｄに形成された開口部（図示省略）から外部に露出している。現像ローラー４３ａは、現像ユニット４３の装着が完了した状態では、感光体ドラム４１の表面に所定の隙間を持って対向配置される。そして、現像ローラー４３ａの表面のトナー薄膜は、現像ローラー４３ａと感光体ドラム４１との間に印加される電位差によって感光体ドラム４１の表面に飛翔して供給される。尚、図示しないが、現像ローラー４３ａ、トナー供給ローラー４３ｂ及び撹拌搬送ローラー４３ｃはギアー列を介して連動可能に連結されており、このギアー列は現像ユニット４３の装着完了状態（図１の状態）において筐体２内の駆動機構に噛合する。
【００２５】
［現像ユニット４３の支持構造］
図４に示すように、現像ハウジング４３ｄは、上側開閉カバー２２の一対の現像支持壁２２ｄの間に配置されている。現像ハウジング４３ｄは密閉箱状に形成されている。現像ハウジング４３ｄの前後両側面からは、現像ローラー４３ａの支持シャフト（以下、現像シャフトという）４３ｆの両端部と、撹拌搬送ローラー４３ｃの支持シャフト（以下、撹拌シャフトという）４３ｇの両端部とが突出している。
【００２６】
そして、現像シャフト４３ｆの両端部が、一対の現像支持壁２２ｄに形成された第一係合溝２２１に係合支持され、撹拌シャフト４３ｇの両端部が、一対の現像支持壁２２ｄに形成された第二係合溝２２２に係合支持されている。
【００２７】
現像ハウジング４３ｄの前後両側面と一対の現像支持壁２２ｄとの間には位置決め部材４３ｅが配置されている。位置決め部材４３ｅは樹脂材料で形成された円板形状の部材であり、位置決め部材４３ｅは現像シャフト４３ｆに回転可能に支持されている。位置決め部材４３ｅの外周面が感光体ドラム４１の表面に当接することにより、現像ローラー４３ａと感光体ドラム４１との隙間が予め設定した大きさに規制される。
【００２８】
本体筐体２１内における感光体ドラム４１の右側には位置規制部材７が設けられている。位置規制部材７は、現像ユニット４３の位置決めを行うための部材である。位置規制部材７は、矩形板に形成されていて、現像ユニット４３と光走査装置４５との間に水平に配置されている。位置規制部材７は、不図示の固定部材によって本体筐体２１に固定されている。位置規制部材７は、現像ハウジング４３ｄの下面に形成された三つのアーチ面の下端全てに当接するように左右方向に所定の幅を持って形成されている。位置規制部材７は、前後方向において現像ユニット４３と略同じ長さ寸法を有している。
【００２９】
［一対の現像支持壁２２ｄの構成］  
次に、図３を参照して、一対の現像支持壁２２ｄの構成を説明する。図４は、上側開閉カバー２２の全閉状態において、後側の現像支持壁２２ｄを前側（一対の現像支持壁２２ｄの内側）から見た概略図である。尚、図示しないが、前側の現像支持壁２２ｄの構成も同様である。
【００３０】
各現像支持壁２２ｄには、切欠孔２２０と上記第一係合溝２２１と第二係合溝２２２とが左右方向に間隔を空けて形成されている。
【００３１】
切欠孔２２０は、上側開閉カバー２２の全閉状態（図１及び図３の状態）において、上側に向かって左側にやや傾斜するように形成されていて、感光体ドラム４１の支持シャフト４１ａに対して左斜め上側から係合する（図１参照）。
【００３２】
第一係合溝２２１及び第二係合溝２２２は、一対の現像支持壁２２ｄの厚さ方向から見て略Ｌ字状に屈曲して形成されている。
【００３３】
具体的には、第一係合溝２２１は、シャフト受入部２２１ａと、第一案内部２２１ｂと、第二案内部２２１ｃとを有している。シャフト受入部２２１ａは、溝の入口側ほど溝幅が広くなるように形成されている。第一案内部２２１ｂは、上側開閉カバー２２の全閉状態（図１及び図３の状態）において上側に向かって右側に延びている。第一案内部２２１ｂは、上側開閉カバー２２を全開状態（図２の状態）にしたときに水平に延びるように形成されている。第一案内部２２１ｂを構成する一対の溝壁面のうちの一方には突部２２１ｄが形成されている。突部２２１ｄの表面は、現像シャフト４３ｆの表面の曲率に対応した円弧面状に形成されている。突部２２１ｄは、現像ユニット４３の現像シャフト４３ｆを第一案内部２２１ｂと第二案内部２２１ｃとの接続部に仮保持して、現像シャフト４３ｆがシャフト受入部２２１ａから左側に脱落するのを防止する機能を有している。第二案内部２２１ｃは、上側開閉カバー２２の全閉状態（図１及び図３の状態）において、第一案内部２２１ｂの上端部から上側に向かって左側に延びている。第一案内部２２１ｂに対する第二案内部２２１ｃの交差角は例えば９０°以上１００°以下に設定されている。第一案内部２２１ｂ及び第二案内部２２１ｃの溝幅は、現像ユニット４３の現像シャフト４３ｆの直径と同等に設定されている。
【００３４】
第二係合溝２２２は、シャフト受入部２２２ａと、第一案内部２２２ｂと、第二案内部２２２ｃとを有している。シャフト受入部２２２ａは、溝の入口側ほど溝幅が広くなるように形成されている。第一案内部２２２ｂは、上側開閉カバー２２の全閉状態（図１及び図３の状態）において上側に向かって右側に延びている。第一案内部２２２ｂは、上側開閉カバー２２の全開状態（図２の状態）において水平に延びるように形成されている。第一案内部２２１ｂの互い対向する一対の溝壁面のうちの一方には突部２２１ｄが形成されている。突部２２１ｄの表面は、撹拌シャフト４３ｇの表面の曲率に対応した円弧面状に形成されている。突部２２１ｄは、現像ユニット４３の撹拌シャフト４３ｇを第一案内部２２２ｂと第二案内部２２２ｃとの接続部に仮保持して、撹拌シャフト４３ｇがシャフト受入部２２２ａから左側に脱落するのを防止する機能を有している。第二案内部２２２ｃは、上側開閉カバー２２の全閉状態（図１及び図４の状態）において、第一案内部２２２ｂの上端部から上側に向かって左側に延びている。第一案内部２２２ｂに対する第二案内部２２２ｃの交差角は例えば９０°以上１００°以下に設定されている。第一案内部２２２ｂ及び第二案内部２２２ｃの溝幅は、現像ユニット４３の撹拌シャフト４３ｇの直径と同等に設定されている。
【００３５】
［現像ユニット４３の着脱作業］   
次に、図２及び図５〜図７を参照して、画像形成装置１に対する現像ユニット４３の着脱作業について説明する。
【００３６】
現像ユニット４３の装着に際しては、先ず、図５に示すように上側開閉カバー２２を全開状態にする。この状態で、作業者は、現像ユニット４３を上側開閉カバー２２の左側で保持する。そして、作業者は、現像シャフト４３ｆ及び撹拌シャフト４３ｇの高さが一対の現像支持壁２２ｄの第一係合溝２２１及び第二係合溝２２２の高さに一致するように現像ユニット４３を傾ける。そして、作業者は、現像ユニット４３を保持したまま右側に移動させて、現像シャフト４３ｆの両端部を、一対の現像支持壁２２ｄの第一係合溝２２１に左側から挿入し、撹拌シャフト４３ｇの両端部を、一対の現像支持壁２２ｄの第二係合溝２２２に左側から挿入する。その後、作業者は、現像ユニット４３を右側にスライドさせて行き、現像シャフト４３ｆ及び撹拌シャフト４３ｇがそれぞれ突部２２１ｄ及び突部２２２ｄを乗り越えたところで現像ユニット４３から手を離す。これにより、現像ユニット４３は一対の現像支持壁２２ｄに仮保持される（図２参照）。
【００３７】
現像ユニット４３の仮保持後、作業者は、上側開閉カバー２２を本体筐体２１の軸部２１ａを支点に閉側（図２の反時計回り方向）に回動させて行く。そうすると、図６に示すように現像ユニット４３が本体筐体２１内に設けられた位置規制部材７に当接する。この状態から上側開閉カバー２２をさらに閉側に回動させて行くと、現像ユニット４３が位置規制部材７より上側に押されて、現像ユニット４３の現像シャフト４３ｆ及び撹拌シャフト４３ｇが、一対の現像支持壁２２ｄの第一係合溝２２１及び第二係合溝２２２に沿って移動する。これにより、現像ユニット４３（現像ローラー４３ａ）が感光体ドラム４１に近付く方向に移動する。そして、上側開閉カバー２２を全閉状態まで回動させると、図７に示すように、一対の現像支持壁２２ｄの切欠孔２２０が感光体ドラム４１の支持シャフト４１ａに係合するとともに、現像ユニット４３の現像シャフト４３ｆ及び撹拌シャフト４３ｇが、一対の現像支持壁２２ｄの第一係合溝２２１及び第二係合溝２２２の上端部に到達する。これにより、現像ユニット４３が所定の装着位置に到達して、現像ユニット４３の装着作業が完了する。現像ユニット４３の装着完了状態において、感光体ドラム４１と現像ローラー４３ａとの隙間は、現像ユニット４３の位置決め部材４３ｅ（図４参照）が感光体ドラム４１に当接することで規制される。
【００３８】
一方、現像ユニット４３を取外す際には、図７に示す状態から上側開閉カバー２２を軸部２１ａを支点に図の時計回り方向に回動させる。そうすると、図６に示すように、現像ユニット４３が第一係合溝２２１及び第二係合溝２２２に沿って感光体ドラム４１から離れる方向に移動して、現像シャフト４３ｆ及び撹拌シャフト４３ｇがそれぞれ突部２２１ｄ及び突部２２２ｄによって仮保持される。さらに上側開閉カバー２２を開放すると、現像ユニット４３は上側開閉カバー２２と共に上側に移動する。そして、図２に示すように、上側開閉カバー２２を全開状態にした後、現像ユニット４３を左側にスライドさせることで、現像ユニット４３を上側開閉カバー２２から分離して取外すことができる。
【００３９】
［作用効果］
以上説明したように、本実施形態では、感光体ドラム４１は本体筐体２１に対して着脱可能に装着されるのに対し、現像ユニット４３は上側開閉カバー２２に対して着脱可能に装着される。
【００４０】
この構成によれば、作業者は、上側開閉カバー２２を開放することで、現像ユニット４３の着脱作業を本体筐体２１の外側で行うことができる。よって、作業者は、現像ユニット４３の着脱作業を本体筐体２１内の狭いスペースで行う必要がなくなる。よって、交換頻度の高い現像ユニット４３を感光体ドラム４１と干渉することなく容易に交換することができる。      
【００４１】
また、本実施形態では、上側開閉カバー２２は一対の現像支持壁２２ｄを有しており、各現像支持壁２２ｄには、現像ハウジング４３ｄの前後両側面（現像ハウジング４３ｄにおける現像ローラー４３ａの軸方向の両側端面）から突出する現像シャフト４３ｆ及び撹拌シャフト４３ｇに係合する第一係合溝２２１及び第二係合溝２２２が形成されている。また、本体筐体２１内には、上側開閉カバー２２を閉じる際に現像ユニット４３に当接して現像シャフト４３ｆ及び撹拌シャフト４３ｇを第一係合溝２２１及び第二係合溝２２２に沿って所定位置まで移動させる位置規制部材７が設けられている。
【００４２】
この構成によれば、現像ユニット４３を上側開閉カバー２２の一対の現像支持壁２２ｄに仮保持させて上側開閉カバー２２を閉じるだけで、現像ユニット４３が所定の装着経路に沿って移動して本体筐体２１内の所定位置に装着される。よって、現像ユニット４３の装着作業をより一層容易に行うことができる。
【００４３】
また、第一係合溝２２１及び第二係合溝２２２は、上側開閉カバー２２を全閉状態から開放させる際に、現像ユニット４３を感光体ドラム４１から離間する向きに移動させるように形成されている。
【００４４】
この構成によれば、上側開閉カバー２２を開放する際に、現像ユニット４３が感光体ドラム４１の周面に誤って接触するのを防止することができる。
【００４５】
《変形例》
図８は実施形態１の変形例を示している。この変形例では、現像ユニット４３の装着完了状態において現像ユニット４３を感光体ドラム４１側に付勢する付勢機構７０を有する点で実施形態１とは異なる。尚、図８において、図７と同じ構成要素には同じ符号を付してその詳細な説明を省略する。
【００４６】
図８に示すように、付勢機構７０は、位置規制部材７の右側端部に立設された鉛直板７ａに取付けられている。図９は、付勢機構７０の拡大図である。付勢機構７０は、球面部７１と、付勢バネ７２と、付勢バネ７２を内部に収容する収容筒７３とを有している。球面部７１は、収容筒７３の左側端面から出没自在に突出している。付勢バネ７２は、例えば圧縮コイルスプリングにより構成されていて球面部７１を左側に付勢している。
【００４７】
現像ユニット４３の装着完了状態では、図８に示すように、球面部７１が現像ハウジング４３ｄの右側面に当接して付勢バネ７２が圧縮された状態になる。この結果、現像ユニット４３全体が付勢バネ７２によって左側に付勢され、一対の位置決め部材４３ｅ（図４参照）が感光体ドラム４１の周面に押し付けられる。これにより、位置決め部材４３ｅと感光体ドラム４１との間のガタや隙間を無くすことができる。延いては、現像ローラー４３ａと感光体ドラム４１との隙間を精度良く管理して現像品質を向上させることができる。
【００４８】
《他の実施形態》
上記実施形態では、画像形成装置１の一例としてプリンターを挙げて説明したが、これに限ったものではない。画像形成装置１は、ファクシミリー、複写機又は複合機（ＭＦＰ）等であってもよい。
【００４９】
また、上記実施形態では、開閉カバーの一例として上下方向に回動する上側開閉カバー２２を例に挙げて説明したが、これに限ったものではない。開閉カバーは、例えば左右方向又は前後方向に回動するものであってもよい。
【００５０】
また、上記実施形態では、感光体ユニット４０は、感光体ドラム４１と帯電器４２と転写ローラー４４とを含む構成とされているが、これに限ったものではない。感光体ユニット４０は、感光体ドラム４１を含んでいれば如何なる構成であってもよい。
【産業上の利用可能性】
【００５１】
以上説明したように、本発明は画像形成装置ついて有用であり、特に、プリンター、ファクシミリー、又は複合機（ＭＦＰ）等に適用する場合に有用である。
【符号の説明】
【００５２】
１        ：画像形成装置
２        ：筐体
７        ：位置規制部材
２１      ：本体筐体
２２      ：上側開閉カバー
４０      ：感光体ユニット
４１      ：感光体ドラム
４３      ：現像ユニット
４３ａ    ：現像ローラー
４３ｄ    ：現像ハウジング
４３ｅ    ：位置決め部材
４３ｆ    ：現像シャフト（軸部）
４３ｇ    ：撹拌シャフト（軸部）
７０      ：付勢機構
【図１】
2020197607.tif 000003
【図２】
2020197607.tif 000004
【図３】
2020197607.tif 000005
【図４】
2020197607.tif 000006
【図５】
2020197607.tif 000007
【図６】
2020197607.tif 000008
【図７】
2020197607.tif 000009
【図８】
2020197607.tif 000010
【図９】
2020197607.tif 000011